(57)【要約】  【課題】安価に生産することができ、汗や雨に濡れても色落ちすることがない襷を提供する。  【解決手段】使用者の一方の肩から他方の腰へ斜めに掛けて使用する襷Ｔであって、細長い布を主体とする布地２と、該布地２の表面２１ａにコンピュータジャガード織りによって織り込まれた記号１とを具備している。【選択図】図１
0003108248.tif 000002
【実用新案登録請求の範囲】
【請求項１】
使用者の肩から腰へ斜めに掛けて使用される襷であって、細長い布を主体とする布地と、該布地の表面にコンピュータジャガード織りによって織り込まれた記号とを具備していることを特徴とする襷。
【請求項２】
前記記号が、文字からなるものである請求項１記載の襷。
【請求項３】
前記記号が、図柄からなるものである請求項１又は２記載の襷。
【請求項４】
前記記号が、文字と図柄とを任意に組み合わせてなるものである請求項１、２又は３記載の襷。
【請求項５】
前記布地の表面に撥水加工を施したものである請求項１、２、３又は４記載の襷。
【考案の詳細な説明】
【技術分野】
【０００１】
本考案は、使用者の肩から腰へ斜めに掛けて使用される襷に関するものである。
【背景技術】
【０００２】
一般に、祭等の行事で使用される襷には、例えば使用者の氏名や役職、町名といった地域名等に関する文字や家紋やその他のマークに係る図柄等が設けられている。このような文字や図柄は、布地に対して染め抜きを施すことによって設けられるか、或いは文字や図柄に係る形状のアップリケを布地に直接縫いつけることによって設けられているのが通例である。
【考案の開示】
【考案が解決しようとする課題】
【０００３】
しかしながら、染め抜きやアップリケといった手法により布地に設けられた文字や図柄は、例えば使用者の汗や雨等によって色落ちし易いという問題がある。特に染め抜きは布地に対して後染めによって染めるため、上述の色落ちの問題が更に顕著である。
【０００４】
一方、布地に文字や図柄を設ける方法としては、従来よりジャガード織機を用いたジャガード織りが知られている。このジャガード織りとは、ジャガード織機と紋紙というパターンカードによってなされる織り方であり、紋紙に描かれた文字や図柄に係るパターンに基づいてジャガード織機が経糸（たていと）及び緯糸（ぬきいと）を操作することにより、自由に装飾性のある模様を布地に織り込むことができるものである。このようなジャガード織りによって織り込まれた文字や図柄であれば、色落ちし難く先染めされた糸を織り込むため、上述のアップリケや染め抜きと比べて色落ちし難いという特徴がある。ここでこのジャガード織りを行うためには布地に正確に図柄を織り込むための「紋紙」が必要となる。
【０００５】
しかし、この紋紙を作成するためには文字や図柄に係るパターンを紋紙に正確に起こす作業が必要となり、この作業は専門の職人による手作業によって行われている。そのため、紋紙の作成には多大な費用が掛かってしまうものとなっている。また、紋紙は織り込む文字や図柄が変わる毎にその都度作成しなくてはならない。そのため、一定以上の製造数量が見込めないと紋紙作成に掛かるコストが製品コストを圧迫してしまうこととなる。つまり、上述のように特定の地名や役職或いは家紋といった、通常は多数製造されることのない文字や図柄などを織り込むとなると、仕上がった製品の単価が非常に高額なものになってしまい、コスト面で現実的ではなく、実際にはジャガード織りの襷というものは製造されていない。
【０００６】
本考案は、このような課題に着目してなされたものであって、主たる目的は、安価に生産することができ、汗や雨に濡れても色落ちすることがない襷を提供することにある。
【課題を解決するための手段】
【０００７】
すなわち、本考案の襷は、使用者の一方の肩から他方の腰へ斜めに掛けるための襷であって、細長い布を主体とする布地と、該布地の表面にコンピュータジャガード織りによって織り込まれた記号とを具備していることを特徴とする。
【０００８】
ここでコンピュータジャガード織りとは、コンピュータとジャガード織機とを主に有し、コンピュータに予め記憶させた記号に係るデータに基づいてコンピュータがジャガード織機を制御することにより、布地に記号に係る模様を織り込むことができるというコンピュータジャガード織機を用いて織り込まれたジャガード織りのことを指すものである。
【０００９】
このようなものであれば、コンピュータジャガード織りを採用して先染めされた糸を織り込むことによって記号を布地に設けることにより、色落ちし難い記号を設けた襷を製造することができる。また、費用が掛かる紋紙作成の工程が無いコンピュータジャガード織りによって記号を設けた襷を安価に製造することができる。
【００１０】
そして、布地の表面に形成される記号が文字からなるものとすれば、コンピュータジャガード織機に予め記憶させた文字データを任意に組み合わせることにより多彩な文字パターンを容易且つ正確に織り込むことができるため、使用者の注文に迅速に応じて襷を製造することができるとともに、文字パターンの変更もコンピュータに記憶させた文字データの組み合わせを変更させるのみで容易にできるため、様々な文字パターンを有する襷を容易に製造することが可能である。
【００１１】
一方、記号が図柄からなるものとすれば、コンピュータジャガード織機に前もって図柄の意匠を高い精度でデータ化してそのデータをコンピュータに記憶させ、該データに基づき布地に記号を織り込むことにより、布地に高い精度で図柄を再現することが可能である。勿論図柄の変更、修正もコンピュータに記憶させたデータを修正、変更するのみで容易に行うことができる。
【００１２】
そして、記号が、文字と図柄とを任意に組み合わせてなるものとすれば、コンピュータに文字と図柄とを記憶させることにより、文字と図柄とを任意に組み合わせた独特の記号を布地に織り込むことも可能である。ここで、任意に組み合わせるとは、単に文字及び図柄の配列のみを組み合わせた態様のみならず、配置や大きさ或いは向きを任意に変更して組み合わせた態様をも含まれるものである。
【００１３】
また、表面に撥水加工を施したものであれば、コンピュータジャガード織りによって織り込まれた記号のみならず、布地に至っても汗や雨に対して更に色落ちし難いものとすることが可能である。
【考案の効果】
【００１４】
本考案によれば、コンピュータジャガード織りを採用することにより、先染めされた糸を織り込んで布地に記号を設けるため、色落ちし難い襷を提供することができる。特に、費用が掛かる紋紙作成の工程が無いコンピュータジャガード織機を用いたコンピュータジャガード織りによって記号を設けることにより、文字や図柄等の記号を安価に布地に織り込むことができる。
【考案を実施するための最良の形態】
【００１５】
以下、本考案の一実施形態を、図面を参照して説明する。
【００１６】
図１に本実施形態に係る襷Ｔ及びその使用態様を示す。同図に示すように、この襷Ｔは、例えば祭りや他の行事の際に、使用者の一方の肩から他方の腰へ斜めに掛けて使用されるものである。
【００１７】
襷Ｔは、図１に示すように細長い布地２を主体としており、この布地２の両端部を縫い合わせて輪状とし、該縫い合わせた箇所にリング状の鳩目Ｒを取り付け、該鳩目Ｒの開口ｐの箇所に房Ｆを通してなるものである。
【００１８】
そして、布地２はコンピュータジャガード織機によって織られたものであり、布地２を構成する表地２１の表面２１ａにコンピュータジャガード織りによって織り込まれた記号１を設けていることを特徴としている。
【００１９】
以下、襷Ｔの具体的な構成について図１、図２及び図３を用いて詳述する。
【００２０】
布地２は、例えば図２に示すように着物を仕立てるために用いられる例えば絹製の反物Ｌから裁断されて得られるものである。ここで、布地２を絹製のものとすることにより、使用者が襷Ｔを掛けた状態で動作して使用者の首に布地２が擦れても、使用者が肌荒れを起こし難いものとなっている。詳細には図３に示すように、布地２はこの反物Ｌの巾方向を４分の１の寸法に切り、細長い短冊状にしてなるものである。ここで、図１、図３に示すように、布地２のうち記号１が表出する表地２１についてのみ示しているが、本実施形態では表地２１の裏面側には無地の裏地２２を縫いつけている。この裏地２２は、記号１が織り込まれていない無地の反物Ｌからなるものである。また勿論、表地２１のみで布地２を構成することも可能である。そして布地２の上下両方の端部には、後述する鳩目Ｒが有する開口ｐに連通し得る穴ｈを設けている。
【００２１】
鳩目Ｒは、上述した布地２の両方の端を止めるための一対のリング状金具によって構成されている。そして、布地２の両方の端部に設けた穴ｈを連通させるように一方の端部の裏地２２に他方の端部の表地２１を重ね合わせた状態で、表地２１の表面２１ａ側及び裏地２２側から上述した一対のリング状金具を強固に嵌め合わせることによって鳩目Ｒを取り付けることにより、布地２の両方の端部を強固に固定している。そして鳩目Ｒの周辺部分、即ち布地２の両方の端部が重ね合わされた箇所は、上述の通り、布地２の両方の端部を固定するため強固に縫いつけられている。
【００２２】
そして、リング状をなした鳩目Ｒの開口ｐには紐を適宜編み込むことにより構成された房Ｆを取り付けている。
【００２３】
ここで、図１、図２及び図３に示すように、表地２１の表面２１ａすなわち布地２の表面２１ａには、コンピュータジャガード織りによって記号１が織り込まれている。そしてこの記号１は文字１１及び図柄１２からなるものである。
【００２４】
記号１は、反物Ｌをコンピュータジャガード織機によって織る際に表地２１に設けられるものである。詳細には、表地２１を構成する糸とは別に、文字１１及び図柄１２を形成するための単一色又は複数色の緯糸１１１、１２１をそれぞれ用意しておき、コンピュータの指示に従ってジャガード織機を操作することにより、反物Ｌを織り込む際に任意の色の緯糸１１１、１２１を表地２１の表面２１ａにおける任意の箇所でそれぞれ点状に露出させることにより記号１を設けている。詳細には、表地２１の表面２１ａに点状に露出した緯糸１１１、１２１が文字１１及び図柄１２を形成し、これら文字１１及び図柄１２がそれぞれ記号１をなしている。勿論これら緯糸１１１、１２１として、色落ちし難く先染めされた糸を用いている。
【００２５】
また、本実施形態ではこのような記号１において、文字１１及び図柄１２を設ける際に文字１１及び図柄１２毎に異なった色の緯糸１１１、１２１を用いているが、複数色の緯糸１１１、１２１を織り込むことにより、それぞれ複数の色彩をもった文字１１及び図柄１２を形成することも可能である。勿論、文字１１と図柄１２とを同じ色の緯糸１１１、１２１を用いて形成することも可能である。
【００２６】
そして図２及び図３において、中央線ｃで示した布地２の中央を使用者の肩に位置付けて襷Ｔを掛けた場合、文字１１及び図柄１２からなる記号１が上下正しく表示されるように、図２、３のように文字１１及び図柄１２は、中央線ｃを境に上下逆向きに組み合わせて織り込まれている。ここで、上述した裏地２２は、記号１が設けられた箇所における表地２１裏面側に露出される緯糸１１１、１２１を隠す役割を担っている。
【００２７】
そして、このように構成された襷Ｔの全体、詳細には記号１を含んだ布地２の表面２１ａ及び房Ｆにはそれぞれ撥水加工が施されており、布地２、記号１及び房Ｆとも更に色落ちし難く、しかも汚れにも強いものに仕上がっている。
【００２８】
このように、本実施形態に係る襷Ｔは、細長い布を主体とする布地２と、該布地２を構成する表地２１の表面２１ａにコンピュータジャガード織りによって織り込まれた記号１を設けているので、コンピュータジャガード織りを採用して先染めされた緯糸１１１、１２１を織り込んで記号１を布地２に設けることにより、色落ちし難い記号１を設けた襷Ｔを製造することができる。また、コンピュータジャガード織りによって紋紙作成にかかる費用を無くして襷Ｔを安価に製造することを可能としている。また、記号１の変更に掛かるコストは紋紙の変更を伴わない軽微なものであるので、この襷Ｔは少量多品目の生産にも適している。
【００２９】
そして、コンピュータジャガード織機によって文字１１からなる記号１を設けるように緯糸１１１を織り込む際には、コンピュータジャガード織機に予め記憶させた文字データを適宜組み合わせて織り込んでいる。そうすることで使用者の注文に迅速に応じ得る襷Ｔの製造を実現している。また、織り込む文字１１に変更があっても、従来のジャガード織機のように紋紙を作り直すという手間が掛からずコンピュータに記憶させた文字データの組み合わせを変更させるのみで迅速に対応できるものになっている。また、文字１１の変更に掛かるコストは紋紙の変更を伴わない軽微なものである。
【００３０】
さらに、コンピュータジャガード織機によって図柄１２からなる記号１を設けるように緯糸１２１を織り込むために、コンピュータジャガード織機に前もって図柄１２の意匠を高い精度でデータ化してそのデータをコンピュータに記憶させ、該データに基づき布地２に記号１を織り込んでいる。そうすることにより、高い精度で図柄１２を再現した記号１を布地２上に設けている。勿論、図柄１２の変更、修正もコンピュータに記憶させたデータを修正、変更するのみであるのでコストを掛けずに迅速且つ柔軟に対応し得るものとなっている。
【００３１】
加えて、コンピュータジャガード織機によって文字１１及び図柄１２を任意に組み合わせてなる記号１を設けるように緯糸１２１織り込むために、コンピュータに文字１１と図柄１２に係るデータをそれぞれ記憶させ、コンピュータ上で文字１１と図柄１２とを任意に組み合わせて作成した独特の記号１を布地２に織り込んでいる、そうすることにより、文字１１及び図柄１２を自由に組み合わせた記号１を設けることを可能としている。ここで、本実施形態では、文字１１及び図柄１２の配列を組み合わせた態様及び配置や向きを任意に制御して組み合わせた態様を示したが、他に文字１１、図柄１２の大きさや角度等を自由に変更することも可能である。勿論、それらの変更に掛かるコストは上述同様、紋紙の変更を伴わない軽微なものである。
【００３２】
なお、本考案は、以上に詳述した実施形態に限られるものではない。
【００３３】
例えば同一の反物内で表地として使用する部分と裏地として使用する部分とを隣接させて設定し、表地と裏地との隣接辺で折り畳むことにより、表地と裏地とが同一の反物からなるようにしても良い。また、図２では反物に設けられた記号が表地毎に同じ文字及び図柄を設けた態様を示していたが、さらなる小ロット生産を可能にするため、表地毎にそれぞれ異なった文字及び図柄をからなる記号を設けるようにしても良い。
【００３４】
また例えば、本考案において開示したコンピュータジャガード織りによる記号は、上述した襷のみならず鉢巻きや、寺の境内又は本堂に飾られる幡（ばん）や、法被（はっぴ）、羽織或いは作務衣等の衣類の襟にも適用することが可能である。すなわち、上述の襷を製造するためにコンピュータに記憶させたデータをそのまま鉢巻きや幡に応用することも可能である。
【００３５】
その他、各部の具体的構成についても上記実施形態に限られるものではなく、本考案の趣旨を逸脱しない範囲で種々変形が可能である。
【図面の簡単な説明】
【００３６】
【図１】本考案の一実施態様に係る襷を示す外観図。
【図２】同実施形態に係る襷を構成する布地を示す平面図。
【図３】同上。
【符号の説明】
【００３７】
１…記号
１１…文字
１２…図柄
２…布地
Ｔ…襷
【図１】
0003108248.tif 000003
【図２】
0003108248.tif 000004
【図３】
0003108248.tif 000005